【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
調節可能に構成される、ストラップ、及び、前記ストラップに連結された留め金を用いて血液を狭窄する止血帯であって、コンプライアンスのロギングの成功を確認する前記止血帯にロギング確認信号を送信するよう構成される外部通信装置と通信可能な止血帯であって、
コントローラと、
前記コントローラに接続されるインジケータと、
前記コントローラに接続される第一のセンサと、
前記コントローラ及び前記第一のセンサを収容する筐体と、を備え、
前記筐体は、前記留め金を受容するよう構成されるレセプタクルを含み、
前記第一のセンサは、前記留め金が前記レセプタクルに挿入された場合に第一の信号を出力するよう構成され、
前記コントローラは、
前記外部通信装置と通信するよう構成される第一の通信インターフェイス、
メモリ、及び、
プロセッサであって、
前記第一の信号を受信したかに基づいて前記留め金が前記レセプタクルに挿入されたかを決定する第一の決定タスク、
前記留め金が挿入されたと前記第一の決定タスクが決定した際に、前記外部通信装置との通信を開始するよう前記第一の通信インターフェイスを制御する第一の通信タスク、及び、
前記コンプライアンスが成立したかを確認するユーザに警告するよう前記インジケータを制御する警告タスクを実行するよう構成されるプロセッサを含む、止血帯。
【請求項２】
前記コントローラに接続され、前記ストラップが前記筐体に対して張力がかけられた場合に第二の信号を出力するよう構成される第二のセンサを更に備え、
前記プロセッサは、前記第二のセンサが前記第二の信号を出力したかに基づいて前記ストラップが前記筐体に対して張力がかけられたかを決定する第二の決定タスクを実行するよう更にプログラミングされる、請求項１記載の止血帯。
【請求項３】
前記第一のセンサは、前記留め金が前記レセプタクルに挿入されていない場合、前記第一の信号とは異なる第三の信号を出力するよう更に構成され、
前記第一の決定タスクは、前記留め金が挿入されたと前記第一の決定タスクが決定した後、前記第一のセンサから前記第三の信号を受信するか前記第一のセンサから前記第一の信号を受信しないいずれかの場合に前記レセプタクルから前記留め金が取り除かれたと決定する、請求項２記載の止血帯。
【請求項４】
前記プロセッサは、前記コンプライアンスが成立したか決定する第三の決定タスクを実行するよう更に構成され、
前記第三の決定タスクは、前記留め金が挿入されたと前記第一の決定タスクが決定した後、第一の所定時間内に前記留め金が取り除かれたと前記第一の決定タスクが決定した場合に、前記コンプライアンスが成立したと決定する、請求項３記載の止血帯。
【請求項５】
前記警告タスクは、前記コンプライアンスが成立したと前記第三の決定タスクが決定した場合に前記コンプライアンスが成立したことを確認するユーザに警告するようインジケータを制御する、請求項４記載の止血帯。
【請求項６】
前記警告タスクは、前記留め金が挿入されたと前記第一の決定タスクが決定した後、前記第一の所定時間内に前記コンプライアンスが成立していないと前記第三の決定タスクが
決定した場合に前記コンプライアンスが成立していないことをユーザに警告するようインジケータを制御する、請求項５記載の止血帯。
【請求項７】
前記プロセッサは、前記コンプライアンスが成立したと前記第三の決定タスクが決定した際に、前記外部通信装置にコンプライアンス成功信号を送信するよう前記第一の通信インターフェイスを制御する第二の通信タスクを実行するよう更に構成される、請求項４記載の止血帯。
【請求項８】
前記プロセッサは、前記外部通信装置に前記コンプライアンス成功信号を送信した後、前記外部通信装置からロギング確認信号を受信する第三の通信タスクを実行するよう更に構成される、請求項７記載の止血帯。
【請求項９】
前記警告タスクは、前記第三の通信タスクが前記外部通信装置から前記ロギング確認信号を受信した際にコンプライアンスのロギングの成功を確認するユーザに警告するようインジケータを制御する、請求項８記載の止血帯。
【請求項１０】
前記第一の通信インターフェイスは、前記外部通信装置と通信するために無線プロトコルを用いる、請求項１記載の止血帯。
【請求項１１】
有線接続プロトコルを用いて外部通信装置と通信する第二の通信インターフェイスを更に備える、請求項１０記載の止血帯。
【請求項１２】
前記インジケータは、異なる色を用いて異なる状態を示すよう少なくとも二つの異なるカラースキームを有する単一のＬＥＤ又は多数のＬＥＤを有する、請求項１記載の止血帯。
【請求項１３】
調節可能に構成される、ストラップ、及び、前記ストラップに連結された留め金を用いて血液を狭窄する止血帯であって、コンプライアンスのロギングの成功を確認する前記止血帯にロギング確認信号を送信するよう構成される外部通信装置と通信可能な止血帯を用いてコンプライアンスが成立したか決定する方法であって、前記止血帯は、
コントローラと、
前記コントローラに接続されるインジケータと、
前記コントローラに接続される第一のセンサと、
前記コントローラ及び前記第一のセンサを収容する筐体と、を備え、
前記筐体は、前記留め金を受容するよう構成されるレセプタクルを含み、
前記第一のセンサは、前記留め金が前記レセプタクルに挿入された場合に第一の信号を出力するよう構成され、
前記コントローラは、
メモリ、
プロセッサ、及び、
前記外部通信装置と通信するよう構成され、前記プロセッサと接続される第一の通信インターフェイスを含み、
前記方法は前記プロセッサによって実行可能であり、
前記第一の信号を受信したかに基づいて前記留め金が前記レセプタクルに挿入されたかを決定する第一の決定ステップ、
前記留め金が挿入されたと前記第一の決定ステップが決定した際に、前記外部通信装置との通信を開始するよう前記第一の通信インターフェイスを制御する第一の通信ステップ、及び、
前記コンプライアンスが成立したかを確認するユーザに警告するよう前記インジケータを制御する警告ステップを含む、方法。
【請求項１４】
コンプライアンスを通信するシステムであって、
調節可能に構成される、ストラップ、及び、前記ストラップに連結された留め金を用いて血液を狭窄する止血帯と、
外部通信装置と、を備え、
前記止血帯と前記外部通信装置は互いと通信可能であり、
前記外部通信装置は、コンプライアンスのロギングの成功を確認する前記止血帯にロギング確認信号を送信するよう構成され、
前記止血帯は、
コントローラと、
前記コントローラに接続されるインジケータと、
前記コントローラに接続される第一のセンサと、
前記コントローラ及び前記第一のセンサを収容する筐体と、を備え、
前記筐体は、前記留め金を受容するよう構成されるレセプタクルを含み、
前記第一のセンサは、前記留め金が前記レセプタクルに挿入された場合に第一の信号を出力するよう構成され、
前記コントローラは、
前記外部通信装置と通信するよう構成される第一の通信インターフェイス、
メモリ、及び、
プロセッサであって、
前記第一の信号を受信したかに基づいて前記留め金が前記レセプタクルに挿入されたかを決定する第一の決定タスク、
前記留め金が挿入されたと前記第一の決定タスクが決定した際に、前記外部通信装置との通信を開始するよう前記第一の通信インターフェイスを制御する第一の通信タスク、及び、
前記コンプライアンスが成立したかを確認するユーザに警告するよう前記インジケータを制御する警告タスクを実行するよう構成されるプロセッサを含む、システム。
【請求項１５】
前記外部通信装置は、インターネットを介して保険プロバイダ、健康保険プロバイダ、又は、薬剤プロバイダの少なくとも一つと通信可能である、請求項１４記載のシステム。